(57)【要約】【課題】文字入力の際の操作性をさらに向上させた携帯端末装置を提供する。【解決手段】入力キー毎にキーＬＥＤ８を有し、押下された入力キー５ａのキーＬＥＤ８を点灯させるＬＥＤ制御部７と、入力キー５ａを押下することにより入力される文字を表示部１０ａに表示させる表示制御部９とを備える携帯端末装置１において、ユーザにより同一の入力キー５ａが連続して押下される毎に、ＬＥＤ制御部７は、押下された入力キー５ａにおけるキーＬＥＤ８の点灯色を変化させ、表示制御部９は、表示部１０ａに表示される文字の背景色を変化させる。【選択図】図１
2007228280.tif 000002
【特許請求の範囲】
【請求項１】
入力キー毎に発光手段を有し、押下された入力キーの発光手段を点灯させる点灯制御手段と、上記入力キーを押下することにより入力される文字を表示手段に表示させる表示制御手段とを備える携帯端末装置において、
ユーザにより同一の入力キーが連続して押下される毎に、
上記点灯制御手段は、上記押下された入力キーにおける発光手段の点灯色を変化させ、
上記表示制御手段は、上記表示手段に表示される文字の背景色を変化させることを特徴とする携帯端末装置。
【請求項２】
入力キーを押下することにより、押下された入力キーに対応する文字を音声として出力する音声制御手段をさらに備えることを特徴とする請求項１に記載の携帯端末装置。
【請求項３】
上記点灯制御手段は、消灯している発光手段を有する入力キーがユーザにより押下されると、該入力キーの発光手段を点灯させることを特徴とする請求項１に記載の携帯端末装置。
【請求項４】
上記点灯制御手段は、点灯している発光手段を有する入力キーとは異なる入力キーがユーザにより押下されると、該点灯している発光手段を消灯させることを特徴とする請求項１に記載の携帯端末装置。
【請求項５】
上記表示制御手段は、上記表示手段に表示された文字の背景色が、ユーザにより押下された入力キーにおける発光手段の点灯色と同一となるように、文字の背景色を制御することを特徴とする請求項１に記載の携帯端末装置。
【請求項６】
上記表示手段に表示される文字の背景色を、ユーザにより設定可能な操作入力手段をさらに備えることを特徴とする請求項１に記載の携帯端末装置。
【請求項７】
上記発光手段の点灯色を、ユーザにより設定可能な操作入力手段をさらに備えることを特徴とする請求項１に記載の携帯端末装置。
【請求項８】
入力キー毎に発光手段を有し、押下された入力キーの発光手段を点灯させる点灯制御手段と、上記入力キーを押下することにより入力される文字を表示手段に表示させる表示制御手段とを備える携帯端末装置の制御方法であって、
ユーザにより同一の入力キーが連続して押下される毎に、
上記点灯制御手段が、上記押下された入力キーにおける発光手段の点灯色を変化させる点灯制御工程と、
上記表示制御手段が、上記表示手段に表示される文字の背景色を変化させる表示制御工程とを含むことを特徴とする携帯端末装置の制御方法。
【請求項９】
請求項１〜７のいずれか１項に記載の携帯端末装置を動作させる制御プログラムであって、コンピュータを上記の各手段として機能させるための携帯端末装置の制御プログラム。
【請求項１０】
請求項９に記載の携帯端末装置の制御プログラムを記録した、コンピュータ読取り可能な記録媒体。
【発明の詳細な説明】
【技術分野】
【０００１】
本発明は、携帯端末装置に関するものであって、特に、携帯端末装置での文字入力に対応する表示制御機能に関するものである。
【背景技術】
【０００２】
近年、電子メールを作成して送信したり、電子メールを受信して閲覧することができる携帯電話機などの通信端末装置が普及している。そして、このような携帯端末装置には、送信メールを作成する際に、メール本文を画面表示し、ユーザによる文字入力操作に基づいてメール本文を構成する文字列を編集する機能が備わっている。
【０００３】
また、携帯端末装置は、軽量・小型であるがゆえに、パーソナルコンピュータ等のキーボードと違って入力キーの数が少ない。そのため、１つの入力キーに複数の文字や機能が割り当てられている。例えば、「２」キーには、仮名・片仮名文字として「か」〜「こ」・「カ」〜「コ」、英数字として「Ａ」〜「Ｃ」・「ａ」〜「ｃ」・「２」というように合計１７種類の文字が割り当てられている。
【０００４】
このように、携帯端末装置では、多種類の文字が割り当てられた入力キーが複数配列されているため、誤入力してしまうことが多く、メール文等を作成する際の操作性が悪いという問題がある。そこで、この問題を解決できる方法の一例として、特許文献１が挙げられる。
【０００５】
上記特許文献１には、入力キーの操作モードの状態、具体的には、数字入力や機能設定用のモード、文字入力用のモード、といったそれぞれのモード別に入力キーの点灯色を変化させる構成が記載されている。これにより、入力キーの操作モードの状態を容易に識別することができるため、入力操作の際の操作性を向上させることができる。
【０００６】
また、上記特許文献１の構成を応用すれば、仮名・片仮名文字入力モードと、英数字入力モードとを容易に識別することもできる。
【特許文献１】特開平６−１１１６６１号公報（１９９４年４月２２日）
【発明の開示】
【発明が解決しようとする課題】
【０００７】
ところが、上記従来の構成では、以下のような問題点が生じる。
【０００８】
上述のように、携帯端末装置には１つの入力キーに多種類の文字が割り当てられているため、ユーザはメール文作成等の文字入力を行う際に、１つの入力キーを連続して複数回押下する場合が多い。具体的には、例えば、「う」という文字を入力するためには、「１」キーを連続して３回押下する必要がある。この場合において、ユーザが「１」キーを連続して４回押下した場合、ユーザが入力を意図していない文字「え」が入力・表示されることになる。そして、ユーザがこの誤入力を認識するには、表示画面に表示された文字自体（ここでは、「え」）を確認しなければならず、複数の入力キーを連続的に押下してメール文を作成するユーザにとっては煩わしさを感じることになる。
【０００９】
このように、上記従来の構成では、入力キーが仮名・片仮名文字入力用のモードであることは容易に認識することができるが、文字入力の際の誤入力等を認識することは容易ではない。そのため、特に、同一の入力キーを複数回押下する場合には、装置の操作性が低下するという問題が生じる。
【００１０】
本発明は、上記の問題点に鑑みてなされたものであり、その目的は、文字入力の際の操作性をさらに向上させた携帯端末装置を提供することである。
【課題を解決するための手段】
【００１１】
本発明の携帯端末装置は、上記の課題を解決するために、入力キー毎に発光手段を有し、押下された入力キーの発光手段を点灯させる点灯制御手段と、上記入力キーを押下することにより入力される文字を表示手段に表示させる表示制御手段とを備える携帯端末装置において、ユーザにより同一の入力キーが連続して押下される毎に、上記点灯制御手段は、上記押下された入力キーにおける発光手段の点灯色を変化させ、上記表示制御手段は、上記表示手段に表示される文字の背景色を変化させることを特徴としている。
【００１２】
また、本発明の携帯端末装置の制御方法は、上記の課題を解決するために、入力キー毎に発光手段を有し、押下された入力キーの発光手段を点灯させる点灯制御手段と、上記入力キーを押下することにより入力される文字を表示手段に表示させる表示制御手段とを備える携帯端末装置の制御方法であって、ユーザにより同一の入力キーが連続して押下される毎に、上記点灯制御手段が、上記押下された入力キーにおける発光手段の点灯色を変化させる点灯制御工程と、上記表示制御手段が、上記表示手段に表示される文字の背景色を変化させる表示制御工程とを含むことを特徴としている。
【００１３】
上記の構成によれば、ユーザにより同一の入力キーが連続して押下される毎に、押下された入力キーにおける発光手段の点灯色と、表示手段に表示される文字の背景色とが変化する。
【００１４】
これにより、ユーザにより同一の入力キーが連続して押下される毎に、押下された入力キーの点灯色と、表示部に表示される文字の背景色とが連動して変化するため、ユーザは、両者の色の変化を認識することによって、ユーザが行った操作が正確に受け付けられたか否かを容易に確認することができる。
【００１５】
具体的には、例えば、ユーザが文字「う」を入力しようとする場合を考える。この場合は、ユーザは入力キー「１」を連続して３回押下すればよい。そして、入力キー「１」が連続して３回押下されると、入力キー「１」の点灯色および表示手段に表示される文字の背景色は、３回変化することになる。ここで、ユーザが、自身では気付かずに操作を誤って、入力キー「１」を連続して４回押下した場合には、入力キー「１」の点灯色および表示される文字の背景色は４回変化することになる。
【００１６】
このとき、ユーザは、上記入力キーの点灯色と表示文字の背景色との変化の回数を認識することによって、または、ユーザが把握している回数毎の色の種類の違いによって、ユーザが行った操作が正確に受け付けられなかったことを確認することができ、入力・表示された文字が誤りであることを認識することができる。これにより、表示手段に表示された文字自体を確認しなくても、色の変化のみによって容易に入力文字の正誤を判断することができる。
【００１７】
このように、入力キーの点灯色および表示される文字の背景色の変化を認識することにより、入力された文字が、ユーザが入力を意図した文字か否かを容易に判断することができるため、ユーザによる文字入力の操作性を向上させることができる。
【００１８】
また、本発明の携帯端末装置は、上記記載の携帯端末装置において、入力キーを押下することにより、押下された入力キーに対応する文字を音声として出力する音声制御手段をさらに備えることが好ましい。
【００１９】
上記の構成によれば、ユーザにより押下された入力キーに対応する文字が音声として出力される。これにより、同一の入力キーが連続して押下される毎に、入力キーの点灯色と表示される文字の背景色とが変化すると共に、表示される文字が音声として出力される。したがって、文字入力を行う際に、入力キーの押下回数と入力した文字とを聴覚および視覚の両方を用いて確認できるため、文字の誤入力を低減でき、文字入力の際の操作性をさらに向上させることができる。
【００２０】
また、本発明の携帯端末装置は、上記記載の携帯端末装置において、上記点灯制御手段は、消灯している発光手段を有する入力キーがユーザにより押下されると、該入力キーの発光手段を点灯させることが好ましい。
【００２１】
上記の構成によれば、消灯している発光手段を有する入力キーがユーザにより押下されると、該入力キーの発光手段が点灯する。これにより、ユーザにより入力操作が行われる入力キーを容易に認識することができるため、文字入力の際の操作性をさらに向上させることができる。
【００２２】
また、本発明の携帯端末装置は、上記記載の携帯端末装置において、上記点灯制御手段は、点灯している発光手段を有する入力キーとは異なる入力キーがユーザにより押下されると、該点灯している発光手段を消灯させることが好ましい。
【００２３】
上記の構成によれば、点灯している発光手段を有する入力キーとは異なる入力キーがユーザにより押下されると、該点灯している発光手段が消灯する。これにより、入力操作が行われている入力キーのみを点灯させた状態とすることができるため、複数の入力キーの操作状態を容易に把握することができる。したがって、文字入力の際の操作性をさらに向上させることができる。
【００２４】
また、本発明の携帯端末装置は、上記記載の携帯端末装置において、上記表示制御手段は、上記表示手段に表示された文字の背景色が、ユーザにより押下された入力キーにおける発光手段の点灯色と同一となるように、文字の背景色を制御することが好ましい。
【００２５】
上記の構成によれば、表示手段に表示される文字の背景色は、ユーザにより押下された入力キーにおける発光手段の点灯色と同一となる。
【００２６】
これにより、文字の背景色と入力キーの点灯色とを同一色で変化させることができるため、ユーザは両者の色の変化の回数や入力キーの押下回数をより容易に認識することできる。したがって、入力された文字が、ユーザが入力を意図した文字か否かをより容易に判断することができるため、ユーザによる文字入力の操作性をさらに向上させることができる。
【００２７】
また、本発明の携帯端末装置は、上記記載の携帯端末装置において、上記表示手段に表示される文字の背景色を、ユーザにより設定可能な操作入力手段をさらに備えることが好ましい。
【００２８】
上記の構成によれば、ユーザが表示手段に表示される文字の背景色を設定することができるため、ユーザ自身が認識および識別し易い好みの色に設定することができる。したがって、ユーザによる文字入力の操作性をさらに向上させることができる。
【００２９】
また、本発明の携帯端末装置は、上記記載の携帯端末装置において、上記発光手段の点灯色を、ユーザにより設定可能な操作入力手段をさらに備えることが好ましい。
【００３０】
上記の構成によれば、ユーザが表示手段に表示される文字の背景色を設定することができるため、ユーザ自身が認識および識別し易い好みの色に設定することができる。したがって、ユーザによる文字入力の操作性をさらに向上させることができる。
【００３１】
なお、上記携帯端末装置は、コンピュータによって実現してもよく、この場合には、コンピュータを上記各手段として動作させることにより上記携帯端末装置をコンピュータにて実現させる各装置の制御プログラム、およびそれを記録したコンピュータ読み取り可能な記録媒体も、本発明の範疇に入る。
【発明の効果】
【００３２】
本発明の携帯端末装置は、以上のように、ユーザにより同一の入力キーが連続して押下される毎に、上記点灯制御手段は、上記押下された入力キーにおける発光手段の点灯色を変化させ、上記表示制御手段は、上記表示手段に表示される文字の背景色を変化させる構成である。
【００３３】
また、本発明の携帯端末装置の制御方法は、ユーザにより同一の入力キーが連続して押下される毎に、上記点灯制御手段が、上記押下された入力キーにおける発光手段の点灯色を変化させる点灯制御工程と、上記表示制御手段が、上記表示手段に表示される文字の背景色を変化させる表示制御工程とを含む構成である。
【００３４】
これにより、ユーザにより同一の入力キーが連続して押下される毎に、押下された入力キーの点灯色と、表示部に表示される文字の背景色とが連動して変化するため、ユーザは、両者の色の変化を認識することによって、ユーザが行った操作が正確に受け付けられたか否かを容易に確認することができる。
【００３５】
したがって、文字入力の際の操作性をさらに向上させた携帯端末装置を提供することができるという効果を奏する。
【発明を実施するための最良の形態】
【００３６】
本発明の一実施形態について図面を用いて説明すると以下の通りである。なお、本実施形態では、携帯端末装置は、文字入力機能として、電子メールを作成および送信することができる携帯電話機などの携帯可能な通信端末装置として説明する。
【００３７】
図１は、本実施の形態における携帯端末装置１の概略構成を示すブロック図である。
【００３８】
同図に示すように、携帯端末装置１は、アンテナ２、無線通信制御部３、主制御部４、操作入力部５、メール作成部６、ＬＥＤ制御部（点灯制御手段）７、キーＬＥＤ（発光手段）８、表示制御部（表示制御手段）９、ＬＣＤ（Liquid Crystal Display：液晶ディスプレイ）１０、表示部（表示手段）１０ａ、音声制御部（音声制御手段）１１、スピーカ１２、音声記憶部１３及びメールボックス１４を備えている。
【００３９】
無線通信制御部３は、移動体通信網を介して基地局と無線通信を行うセルラー方式の通信手段であり、アンテナ２を介して電子メール等の通信データを送受信する処理を行っている。
【００４０】
メールボックス１４は、無線通信制御部３から送信される電子メール（送信メール１４ａ）を記憶する記憶装置であり、例えば、書き換え可能な不揮発性のメモリからなる。
【００４１】
操作入力部５は、各種入力キーを含む入力キー群５Ａからなり、ユーザが行う入力キーの操作に応じて入力信号を出力する処理を行うものである。入力キー群５Ａは、複数の入力キーにより構成されており、例えば、電話番号、仮名・片仮名文字および英字を入力するためのキー（文字入力キー）や、文字入力時に入力位置を移動させるためのキー（方向キー）や、動作状態に応じて異なる機能が割り当てられるキー（ガイドキー）などを含んでいる。なお、以下では、説明の便宜上、入力キー群５Ａにおける文字入力キーの内、所定のキー（例えば、「１」キー）を入力キー５ａと表す。
【００４２】
メール作成部６は、ユーザによる文字入力操作に基づいて、送信メール１４ａを作成する処理を行うものである。ここでは、漢字を含む送信メール１４ａが作成されるものとする。
【００４３】
ＬＥＤ制御部７は、各種入力キー毎に備えられるキーＬＥＤ８の制御を行う制御手段であり、各入力キーが押下されることにより、対応するキーＬＥＤ８の点灯および消灯の制御を行う。また、ＬＥＤ制御部７は、入力キー５ａの押下回数に応じて、入力キー５ａのキーＬＥＤ８の点灯色を変化させるように制御している。なお、キーＬＥＤ８の発光により、入力キー５ａを透過する光量または入力キー５ａが点灯する光量は、ユーザが容易に認識および識別できる程度である。なお、ＬＥＤ制御部７の具体的な構成については後述する。
【００４４】
ＬＣＤ１０は、液晶パネルおよびバックライトからなり、表示部１０ａ上に、ユーザにより入力された文字やメール情報などの表示データを出力する出力装置である。
【００４５】
表示制御部９は、ＬＣＤ１０の動作制御を行う制御手段であり、待受画面や、各種機能を選択させるメニュー画面、送信メールの編集画面の表示制御を行っている。この表示制御部９により、送信メールの作成時に文字の入力キー５ａが押下されると、表示部１０ａ上のプロンプトがある位置に仮名文字が表示される。なお、表示制御部９の具体的な構成については後述する。
【００４６】
音声制御部１１は、スピーカ１２の制御を行う制御手段であり、着信音、アラーム音、エラー音などの効果音の鳴動を行っている。
【００４７】
携帯端末装置１は、以上のような構成部材を備え、文字入力、メール文の作成およびメールの送受信等を行う。
【００４８】
ここで、図１を用いて、各ブロック間で行われる処理について以下に説明する。なお、以下では、文字入力してメール文を作成した後、メール送信する場合を例に挙げて説明する。
【００４９】
まず、ユーザによる操作入力部５内のガイドキー２５ｂ，２６ｂ，２７ｂ（図５）等の操作により、通常モード（待ち受け状態）からメール作成モードに切り替えられる。
【００５０】
そして、メール作成モードにおいて、ユーザによる操作入力部５内の入力キー５ａが操作（押下）されると、操作入力部５から文字入力信号が出力される。ＬＥＤ制御部７は、主制御部４を介して操作入力部５の出力信号を受信し、受信した信号に基づいて、後述のテーブルにおいて入力キー５ａに関連付けられた色の点灯命令をキーＬＥＤ８に付与し、ユーザにより押下された入力キー５ａのキーＬＥＤ８を点灯させる。
【００５１】
また、メール作成部６では、上記操作入力部５から出力された文字入力信号を、主制御部４を介して受信し、受信した信号に基づいて文字（メール文）を作成する。作成された文字は、主制御部４および表示制御部９を介して、表示部１０ａに表示される。
【００５２】
また、表示制御部９は、主制御部４を介して操作入力部５の出力信号を受信し、受信した信号に基づいて、表示部１０ａに表示される文字の背景色を、後述のテーブルにおいて入力キーに関連付けられた色で表示させる命令を付与する。ここでは、ＬＥＤ制御部７と表示制御部９とは、同一のテーブルを参照する構成であるため、キーＬＥＤ８の点灯色と表示部１０ａに表示される文字の背景色は、同一色となる。
【００５３】
その後、引き続きユーザにより文字入力操作が行われると、上述の処理が繰り返されメール文が作成される。そして、文字入力が終了した後、作成されたメール文（送信メール１４ａ）は、ユーザによる操作入力部５の操作により、無線通信制御部３を介して送信されると共に、メールボックス１４に保存される。
【００５４】
このように、携帯端末装置１は、入力キー５ａのキーＬＥＤ８の点灯色と、表示部１０ａに表示される、入力キー５ａに対応する文字の背景色とが同一となるように制御している。
【００５５】
ここで、ＬＥＤ制御部７および表示制御部９の具体的な構成について、図２の表示色対応テーブルを用いて以下に説明する。
【００５６】
図２（ａ）は、各入力キーに割り当てられている入力文字（平仮名・片仮名文字）と、各入力キーを連続して押下する毎に、押下された入力キーの点灯色が変化する色数（種類）との関係をテーブルに示した図であり、図２（ｂ）は、各入力キーに割り当てられている入力文字（英数字）と、各入力キーを連続して押下する毎に、押下された入力キーの点灯色が変化する色数（種類）との関係をテーブルに示した図である。
【００５７】
上図に示すテーブルは、主制御部４に備えられており、ＬＥＤ制御部７および表示制御部９は、操作入力部５の出力信号に基づいて、上記テーブルを参照し、入力キー５ａの点灯色および表示部１０ａに表示される文字の背景色を点灯または変化させる構成である。
【００５８】
具体的には、例えば、平仮名文字または片仮名文字入力の場合において、小文字の入力機能がある「１」キーでは、平仮名文字「あ」〜「お」・「ぁ」〜「ぉ」と片仮名文字「ア」〜「オ」・「ァ」〜「ォ」とに、それぞれ１０種類の色（色１〜色１０）が割り当てられており、小文字の入力機能がない「２」キーでは、平仮名文字「か」〜「こ」と片仮名文字「カ」〜「コ」とに、それぞれ５種類の色（色１〜色５）が割り当てられている。
【００５９】
そして、ＬＥＤ制御部７および表示制御部９は、同一の入力キー５ａを連続して押下する毎に、入力キー５ａに割り当てられている点灯色および表示部１０ａに表示される文字の背景色が変化するように、キーＬＥＤ８およびＬＣＤ１０を制御している。具体的には、仮名文字入力モードにおいて、「１」キーでは、入力キーを連続して押下する毎に、入力キー「１」の点灯色および文字の背景色が「色１→色２→・・・→色９→色１０→色１→・・・」と変化し、キー「２」では、入力キーを連続して押下する毎に、入力キー「２」の点灯色および文字の背景色が「色１→色２→・・・→色５→色１→・・・」と変化する。また、英数字入力モードにおいて、「１」キーでは、入力キーを連続して押下する毎に、入力キー「１」の点灯色および文字の背景色が「色１→・・・→色７→色１→・・・」と変化し、キー「７」では、入力キーを連続して押下する毎に、入力キー「７」の点灯色が「色１→・・・→色９→色１→・・・」と変化する。
【００６０】
このように、ユーザにより同一の入力キー５ａが連続して押下される度に、押下される入力キー５ａの点灯色が切り替わり、表示部１０ａに表示される文字の背景色が切り替わる。
【００６１】
なお、本実施の形態では、入力キー５ａの点灯色と表示部１０ａに表示される文字の背景色とが同一色となるように制御している構成であるが、他の構成として、両者の色を同一色とはせず、異なる色で順次切り替える構成としても良い。この場合には、入力キーの点灯色用の表示色対応テーブルと、表示部１０ａに表示される文字の背景色用の表示色対応テーブルとを主制御部４に備える構成、または、両者のテーブルをＬＥＤ制御部７および表示制御部９にそれぞれ備える構成、とすることにより実現することができる。
【００６２】
また、入力キー５ａの点灯色および表示部１０ａに表示される文字の背景色における、色の種類は、特に限定されるものではなく、例えば、１つの入力キー５ａにおいて２色の色が割り当てられ、入力キー５ａを連続して押下する毎に交互に切り替わる構成であってもよい。
【００６３】
また、上記入力キー５ａの点灯色および表示部１０ａに表示される文字の背景色における、色の種類や色の切り替え順序などの色の設定方法については、ユーザの操作により設定および変更できる構成であることが好ましい。この構成によれば、ユーザ自身が認識および識別し易い好みの色に設定することができる。なお、色の設定方法は、これに限定されるものではなく、予め携帯端末装置１に組み込まれている構成であってもよい。
【００６４】
次に、携帯端末装置１におけるメール作成時の動作処理について説明する。図３は、携帯端末装置１におけるメール作成時の動作処理を示すフローチャートである。
【００６５】
まず、送信メールの作成時、ユーザにより文字入力キー５ａが押下される（ステップＳ１、以下ステップを単にＳと記載する）。そして、押下された入力キー５ａのキーＬＥＤ８が点灯し、入力キー５ａの文字が表示部１０ａに表示される（Ｓ２）。ここでは、例えば、キー「１」が１回押下されて、「１」キーが「色１」の色に点灯したとする。そして、表示部１０ａに表示される入力文字（ここでは「あ」が表示される）の背景色が、押下された入力キー５ａ（「１」）における点灯色（「色１」）と同一の色に設定され表示される（Ｓ３）。
【００６６】
この時点で、文字入力を終了する場合（Ｓ４にてＹＥＳ）には、既知の方法、例えば「決定」２６ａ（図５）が選択されることによりメール作成作業が終了し、メール送信等の次の処理に移行する。
【００６７】
一方、文字入力を終了しない場合、すなわち続けて文字入力操作が行われる場合（Ｓ４にてＮＯ）には、以下の処理が行われる。ユーザが入力したい文字が例えば「い」であるために、直前に入力した入力キー５ａ（「１」）と同一の入力キー５ａ（「１」）が再度押下された場合（Ｓ５にてＹＥＳ）には、既に点灯している入力キー５ａ（キーＬＥＤ８）の色（「色１」）が切り替わる（Ｓ６）。ここでは、「い」を入力するため、「１」キーが１回押下されることになる。そして、図２において説明したように、「１」キーの点灯色は、連続して押下される毎に「色１→色２→・・・→色９→色１０→色１→・・・」と変化するため、ここでは「色２」が点灯することになる。
【００６８】
そして、表示部１０ａに表示された入力文字（ここでは「い」が表示される）の背景色が、押下された入力キー５ａ（「１」）における点灯色（「色２」）と同一の色に切り替えられる（Ｓ７）。その後は、Ｓ４の処理に戻り、文字入力が終了した場合にはＹＥＳの処理へ、文字入力が終了していない場合には、再度Ｓ５の処理に移る。
【００６９】
なお、Ｓ５において、直前に入力した入力キー５ａ（「１」）とは異なる入力キー、例えば「２」キーを押下した場合（Ｓ５にてＮＯ）には、点灯している入力キー５ａ（「１」）のキーＬＥＤ８が消灯し（Ｓ８）、表示部１０ａに表示された入力文字（「い」）の背景色がデフォルトに戻る（Ｓ９）。その後、Ｓ２の処理に戻り、押下された入力キー、ここでは「２」キーの点灯色が「色１」の色に切り替わる。
【００７０】
以上の処理によりメール文が作成される。そして、上述の処理によれば、同一の入力キー５ａを連続して押下する毎に、キーＬＥＤ８の点灯色と表示部１０ａに表示される文字の背景色とが同一の色で、順次切り替えられていくため、ユーザは、入力した文字を認識し易くなる。これにより、文字入力の操作性が向上し、誤入力を低減することができる。
【００７１】
ここで、本実施形態における携帯端末装置１は、入力キー５ａを押下した際に、押下された文字を読み上げる構成であってもよい。すなわち、音声制御部１１が、上述した機能（着信音、アラーム音、エラー音などの効果音の鳴動）に加えて、入力キー５ａにより入力された文字の音声を読み出し鳴動する機能（音声出力機能）を有する構成であってもよい。
【００７２】
この音声制御部１１と、携帯端末装置１を構成する他のブロックとのやり取りについて、図１を用いて以下に説明する。なお、音声制御部１１以外のブロック間で行われる処理については、上述の内容と同一であるため説明を省略する。
【００７３】
まず、ユーザにより操作入力部５内の入力キー５ａが押下されると、入力キー５ａに対応した入力信号が操作入力部５から出力される。そして、操作入力部５から出力された信号は、主制御部４を介して、ＬＥＤ制御部７に入力されると共に、音声制御部１１に入力される。
【００７４】
そして、音声制御部１１は、上記受信した信号に基づいて、表示部１０ａに表示される文字を音声としてスピーカ１２から出力させる。
【００７５】
このように、ユーザが入力キー５ａを押下することにより、押下された入力キー５ａに対応する文字が、表示部１０ａに表示されると共にスピーカ１２から音声として出力される。
【００７６】
次に、上記音声制御部１１を備える携帯端末装置１におけるメール作成時の動作処理について、図４を用いて以下に説明する。
【００７７】
図４は、音声出力機能を備える携帯端末装置１におけるメール作成時の動作処理を示すフローチャートである。なお、図３と同一内容の処理については、同一のステップ番号を付すと共に、その説明は省略する。
【００７８】
まず、ユーザにより押下された入力キー５ａのキーＬＥＤ８が点灯し、入力キー５ａの文字が表示部１０ａに表示される（Ｓ１，Ｓ２）。ここでは、上述した図２の説明と同様、「１」キーが「色１」の色に点灯する。
【００７９】
そして、入力キー５ａにより入力され、表示部１０ａに表示された文字「あ」が音声としてスピーカ１２から出力される（Ｓ１１）。以降、図３のフローチャートと同一の処理が行われた後、Ｓ５において、直前に入力した入力キー５ａ（「１」）と同一の入力キー５ａ（「１」）が再度押下された場合（Ｓ５にてＹＥＳ）には、既に点灯している入力キー５ａの点灯色（「色１」）が「色２」に切り替わり（Ｓ６）、再度押下された入力キー５ａの文字（「い」）が音声としてスピーカ１２から出力される（Ｓ１２）。
【００８０】
このように、同一の入力キー５ａを連続して押下する毎に、キーＬＥＤ８の点灯色と表示部１０ａに表示される文字の背景色とが同一の色で、順次切り替えられていくと共に、表示部１０ａに表示される文字が音声として出力（鳴動）されるため、文字入力を行う際に、入力キーの押下回数と入力した文字とを聴覚および視覚の両方を用いて確認できるため、文字入力時における操作性をさらに向上させることができる。
【００８１】
ここで、メッセージ作成モードにおける文字入力の際の操作手順について以下に具体的に説明する。図５（ａ）〜（ｅ）は、携帯端末装置１における動作例を遷移的に示した図である。まず、携帯端末装置１における操作入力部５および表示部１０ａの概略構成について簡単に説明する。
【００８２】
表示部１０ａは、ピクト領域２２、動作モード表示領域２３、メッセージ表示領域２４及びソフトキーの機能割り当て表示領域２５（２５ａ，２６ａ，２７ａ，３２ａ，３３ａ，３４ａ）を含んでいる。また、操作入力部５は、文字入力キー２８，２９，３０、ガイドキー２５ｂ，２６ｂ，２７ｂ，３２ｂ，３４ｂ、方向キー３３ｂを含んでいる。
【００８３】
ピクト領域２２は、電波の受信状態や電池残量などを絵文字（pictogram：ピクトグラム）で表示する表示領域であり、最上段に配置されている。
【００８４】
動作モード表示領域２３は、動作中の機能名などを表示するものである。
【００８５】
メッセージ表示領域２４は、作成中の送信メールのメール文やヘッダ情報を表示するものである。メッセージ表示領域２４は、ユーザが入力した文字を表示する入力文字表示領域２４ａと、入力された文字に対応する変換文字を表示する変換文字リスト表示領域２４ｂとを含んでいる。
【００８６】
機能割り当て表示領域２５は、「定型」２５ａ、「決定」２６ａおよび「メニュー」２７ａなどのソフトキーに割り当てられた機能割り当てを表示するものである。なお、ソフトキーは、動作モードに応じて割り当てられる機能が異なるキーであり、操作入力部５のガイドキー２５ｂ，２６ｂ，２７ｂの操作に対応して処理が実行される。
【００８７】
次に、メッセージ作成時における操作手順について、図５（ａ）〜（ｅ）を用いて以下に説明する。
【００８８】
まず、図５（ａ）の編集画面２１ａに示すように、メッセージを作成する際、ユーザは、ガイドキー等によりメッセージ作成モードを選択する。これにより、ガイドキー２５ｂのキーＬＥＤが点灯し（例えば、「色１」）、「定型」２５ａは、点灯したガイドキー２５ｂの点灯色（「色１」）と同一色の背景色で描画される。同様に、ガイドキー２６ｂ，２７ｂのキーＬＥＤが点灯し、「決定」２６ａおよび「メニュー」２７ａは、それぞれ点灯したガイドキー２６ｂ，２７ｂの点灯色と同一色（「色１」）の背景色で描画される。（図５（ａ））
次に、ユーザにより、「あ」行が割り振られている「１」キー２８が１回押下されると、図５（ｂ）の入力画面２１ｂに示すように、「１」キー２８のキーＬＥＤが１回押下された色（例えば「色１１」）で点灯し、入力された文字「あ」の音声がスピーカ３１（１２）から流れる。そして、入力文字表示領域２４ａには、「１」キー２８の点灯色と同一色の背景色で文字「あ」が描画される。なお、この入力画面２１ｂでは、画面下部領域、すなわち変換文字リスト表示領域２４ｂに、入力された文字「あ」から始まる変換候補リストが描画される。
【００８９】
また、文字「あ」が入力されると、ガイドキー２５ｂの点灯色（「色１」）は、ガイドキー３２ｂの点灯色（「色２」）に変化し、「定型」２５ａは、ガイドキー３２ｂの点灯色（「色２」）と同一色の背景色で「音訓」３２ａに変化する。また、ガイドキー２６ｂのキーＬＥＤは消灯し、下キー（方向キー）３３ｂのキーＬＥＤが点灯し、「決定」２６ａは、点灯した下キー３３ｂの点灯色と同一色の背景色で「変換」に切り替わる。さらに、ガイドキー２７ｂの点灯色は、ガイドキー３４ｂの点灯色に変化し、「メニュー」２７ａは、点灯したガイドキー３４ｂと同一色の背景色で「カナ英数」３４ａに切り替わる。（図５（ｂ））
次に、ユーザにより、「さ」行が割り振られている「３」キー２９が押下されると、図５（ｃ）の入力画面２１ｃに示すように、入力済みの文字「あ」の背景色がデフォルトの色に変化し、「１」キー２８のキーＬＥＤが消灯する。そして、押下された「３」キー２９のキーＬＥＤが１回押下された色（例えば「色１１」）で点灯し、スピーカ３１から「さ」の音声が流れる。そして、入力文字表示領域２４ａには、「３」キー２９の点灯色と同一色の背景色で文字「さ」が描画される。また、文字「さ」が入力されることにより、画面下部の変換文字リスト表示領域２４ｂに、「あさ」から始まる変換候補リストが更新表示される。（図５（ｃ））
続いて、再度「３」キー２９が押下されると、図５（ｄ）の入力画面２１ｄに示すように、「３」キー２９のキーＬＥＤが２回押下された色（例えば「色１２」）に変化し、スピーカ３１から「し」の音声が流れる。そして、入力文字表示領域２４ａには、「３」キー２９の点灯色（「色１２」）と同一色の背景色で文字「し」が描画される。また、文字「し」へ変化したことにより、画面下部の変換文字リスト表示領域２４ｂに、「あし」から始まる変換候補リストが更新表示される。（図５（ｄ））
次に、ユーザにより、「た」行が割り振られている「４」キー３０が押下されると、図５（ｅ）の入力画面２１ｅに示すように、入力済みの「し」の背景色がデフォルトの色に変化し、「３」キー２９のキーＬＥＤが消灯する。そして、押下された「４」キー３０のキーＬＥＤが１回押下された色（例えば「色１１」）で点灯し、スピーカ３１から「た」の音声が流れる。そして、入力文字表示領域２４ａには、「４」キー３０の点灯色（「色１１」）と同一色の背景色で文字「た」が描画される。また、「た」が入力されることにより、画面下部の変換文字リスト表示領域２４ｂに、「あした」から始まる変換候補リストが更新表示される。（図５（ｅ））
このとき、ユーザによりガイドキー３２ｂが押下されると、入力された音訓の漢字リストが表示される。また、下キー３３ｂが押下されると、変換候補リストから候補が選択される。そして、ガイドキー３４ｂが押下されると、変換候補リストが入力文字を構成するカナ文字および英数字のリストに変更される。
【００９０】
上記の構成によれば、文字入力キー以外のガイドキーの点灯色と、該ガイドキーに対応する表示部１０ａに表示されるソフトキーの背景色とを同一色となるよう制御することができるため、文字入力の操作性を向上させるだけでなく、入力された文字の変換操作の操作性も向上させることができる。すなわち、ユーザによる文字入力およびメール文作成の操作性をさらに向上させることができる。
【００９１】
なお、本実施の形態では、メール文を作成する場合の例について説明したが、本発明はこれに限られるものではない。例えば、メニューのリスト画面のような複数の選択項目を有する画面において、各リスト項目色と、項目に割り振られているキーのＬＥＤ色とを同一色とし、押下されたキー番号を音声として出力する構成としてもよい。
【００９２】
本実施の形態における携帯端末装置は、仮名文字入力されたら仮名文字の音声を発する音声出力手段と、キー毎にＬＥＤを有し、押下されたキーＬＥＤを点灯・変色させるＬＥＤ制御手段と、ユーザによる仮名文字入力に基づいて、漢字を含む送信メールを作成するメール作成手段と、入力された仮名文字の背景色を変更する表示制御手段を備え、文字入力された場合、押下されたキーＬＥＤを点灯・変色させ、入力仮名文字を読み上げ、画面の入力仮名文字背景色を変化させる構成であってもよい。
【００９３】
また、上記携帯端末装置は、送信メール作成中に、キー押下により仮名文字入力されると入力された仮名文字を読み上げる構成であってもよい。
【００９４】
また、上記表示制御手段は、入力された仮名文字の背景色を変化させる構成であってもよい。
【００９５】
また、上記携帯端末装置は、押下されたキーＬＥＤが消灯していれば点灯させる構成であってもよい。
【００９６】
また、上記携帯端末装置は、押下されたキーＬＥＤが点灯していれば異なる色に変色させる構成であってもよい。
【００９７】
また、上記携帯端末装置は、ＬＥＤが点灯しているキーと異なるキーを押下した場合、点灯しているキーＬＥＤが消灯させる構成であってもよい。
【００９８】
また、上記表示制御手段は、入力された仮名文字の背景色と押下されたキーＬＥＤ色を同色に変化させる構成であってもよい。
【００９９】
また、上記表示制御手段は、画面のソフトキーの背景色とキーＬＥＤを同色に変化させる構成であってもよい。
【０１００】
また、上記携帯端末装置は、ユーザによる操作入力設定に基づいて、表示された仮名文字背景色の指定ができる構成であってもよい。
【０１０１】
また、上記携帯端末装置は、ユーザによる操作入力設定に基づいて、キーＬＥＤ色の指定ができる構成であってもよい。
【０１０２】
また、上記携帯端末装置は、ユーザによる操作入力設定に基づいて、表示された仮名文字色の指定ができる構成であってもよい。
【０１０３】
また、上記携帯端末装置は、ユーザによる操作入力設定に基づいて、キーＬＥＤの点灯／非点灯の指定ができる構成であってもよい。
【０１０４】
最後に、携帯端末装置１の各ブロック、特にＬＥＤ制御部７および表示制御部９は、ハードウェアロジックによって構成してもよいし、次のようにＣＰＵを用いてソフトウェアによって実現してもよい。
【０１０５】
すなわち、携帯端末装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯端末装置１の制御プログラムのプログラムコード（実行形式プログラム、中間コードプログラム、ソースプログラム）をコンピュータで読取り可能に記録した記録媒体を、上記携帯端末装置１に供給し、そのコンピュータ（またはＣＰＵやＭＰＵ）が記録媒体に記録されているプログラムコードを読み出し実行することによっても、達成可能である。
【０１０６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０７】
また、携帯端末装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１０８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０９】
本発明は、パーソナルコンピュータなど、ユーザが入力した文字を所定の表示部に表示する装置に適用することができる。
【図面の簡単な説明】
【０１１０】
【図１】本発明の一実施形態を示すものであり、携帯端末装置の概略構成を示すブロック図である。
【図２】（ａ）は、入力キーに割り当てられている平仮名・片仮名文字と、入力キーを連続して押下する毎に入力キーの点灯色が変化する色数との関係をテーブルに示した図であり、（ｂ）は、入力キーに割り当てられている英数字と、入力キーを連続して押下する毎に入力キーの点灯色が変化する色数との関係をテーブルに示した図である。
【図３】図１の携帯端末装置における文字入力時の動作例を示すフローチャートである。
【図４】図１の携帯端末装置における音声制御部が音声出力機能を備える場合の、携帯端末装置におけるメール作成時の動作処理を示すフローチャートである。
【図５】（ａ）〜（ｅ）は、図１の携帯端末装置における動作例を遷移的に示した図である。
【符号の説明】
【０１１１】
１      携帯端末装置
４      主制御部
５ａ    入力キー
７      ＬＥＤ制御部（点灯制御手段）
８      キーＬＥＤ（発光手段）
９      表示制御部（表示制御手段）
１０ａ    表示部（表示手段）
１１      音声制御部（音声制御手段）
【図１】
2007228280.tif 000003
【図２】
2007228280.tif 000004
【図３】
2007228280.tif 000005
【図４】
2007228280.tif 000006
【図５】
2007228280.tif 000007